(57)【要約】  【課題】  汚れや傷がつきにくく、密閉性やデザイン性にも優れた端子カバーを備えた携帯端末装置を提供することである。  【解決手段】  携帯端末装置の１つである携帯電話機１０は、イヤホンマイク端子１３と、イヤホンマイク端子１３を覆うイヤホンマイク端子カバー１４とを備え、イヤホンマイク端子カバー１４の取手部１４ａが硬質樹脂であり、蓋部１４ｂが軟質樹脂であり、取手部１４ａと蓋部１４ｂとが露出している構成とする。【選択図】      図４
2006135638.tif 000002
【特許請求の範囲】
【請求項１】
外部の機器と接続される端子と、該端子を覆う端子カバーとを備えた携帯端末装置において、
前記端子カバーは、硬質樹脂と軟質樹脂とからなり、携帯端末装置に装着された状態で硬質樹脂部分と軟質樹脂部分とが露出していることを特徴とする携帯端末装置。
【請求項２】
前記端子カバーの開時に操作される取手部を硬質樹脂とすることを特徴とする請求項１記載の携帯端末装置。
【請求項３】
前記端子カバーの携帯端末装置本体と嵌合する蓋部を軟質樹脂とすることを特徴とする請求項１又は２記載の携帯端末装置。
【請求項４】
前記硬質樹脂と前記軟質樹脂とは、二色成形による熱融着にて接着されることを特徴とする請求項１〜３の何れかに記載の携帯端末装置。
【請求項５】
前記端子カバーはイヤホンマイク端子のカバーであることを特徴とする請求項１〜４の何れかに記載の携帯端末装置。
【請求項６】
前記硬質樹脂は携帯端末装置本体と同材料であることを特徴とする請求項１〜５の何れかに記載の携帯端末装置。
【請求項７】
前記硬質樹脂は携帯端末装置本体と同色であることを特徴とする請求項１〜６の何れかに記載の携帯端末装置。
【請求項８】
前記携帯端末装置は、携帯電話機であることを特徴とする請求項１〜７の何れかに記載の携帯端末装置。
【発明の詳細な説明】
【技術分野】
【０００１】
本発明は、端子カバーを備えた携帯電話機等の携帯端末装置に関するものである。
【背景技術】
【０００２】
従来、携帯電話機の側面には端子を保護するための端子カバーがいくつか備えられている。例えば、携帯電話機のイヤホンマイク端子には埃や水の侵入防止のためゴム製の端子カバーが装着されている（例えば、特許文献１参照）。この端子カバーはイヤホンマイク接続時には引き出されて本体にぶら下がった状態となる。
【０００３】
また、携帯電話機には外部接続端子もあり、この外部接続端子にも同様にゴム製の端子カバーが装着されている。
【特許文献１】特開２０００−１４８０２４号公報
【発明の開示】
【発明が解決しようとする課題】
【０００４】
しかしながら、これらの端子カバーはゴム製であるので、端子を密閉するには優れているが、本体に使用されている硬質樹脂よりも汚れやすく傷つきやすい。そのため、端子カバーの開閉時にユーザの爪により傷がついたり汚れたりするという問題がある。
【０００５】
そこで、端子カバーに本体と同様に硬質樹脂を用いることが考えられるが、密閉性や開閉性に問題があり、デザイン性もよくない。
【０００６】
本発明は、汚れや傷がつきにくく、密閉性やデザイン性にも優れた端子カバーを備えた携帯端末装置を提供することを目的とする。
【課題を解決するための手段】
【０００７】
上記目的を達成するために本発明は、外部の機器と接続される端子と、該端子を覆う端子カバーとを備えた携帯端末装置において、前記端子カバーは、硬質樹脂と軟質樹脂とからなり、携帯端末装置に装着された状態で硬質樹脂部分と軟質樹脂部分とが露出していることを特徴とするものである。
【０００８】
この構成によると、硬質樹脂の汚れや傷がつきにくいという特徴と、軟質樹脂の密閉性やデザイン性に優れるという特徴とを兼ね備えた端子カバーを実現できる。
【０００９】
上記の携帯端末装置において、前記端子カバーの開時に操作される取手部を硬質樹脂とすることが望ましい。
【００１０】
この構成によると、ユーザが触れて傷や汚れがつきやすい部分に硬質樹脂が用いられる。
【００１１】
また上記の携帯端末装置において、前記端子カバーの携帯端末装置本体と嵌合する蓋部を軟質樹脂とすることが望ましい。
【００１２】
この構成によると、密閉性やデザイン性が求められる部分に軟質樹脂が用いられる。
【００１３】
そして、前記硬質樹脂と前記軟質樹脂とは、二色成形による熱融着にて接着できる。なお、前記端子カバーは、例えば、通常携帯端末装置の側面に配置される使用頻度の高いイヤホンマイク端子のカバーに適用することができる。
【００１４】
また、前記硬質樹脂は携帯端末装置本体と同材料や同色であることが望ましい。そして、前記携帯端末装置の一例として、他の携帯端末装置よりも生産台数の多い、つまりユーザに利用される機会の多い携帯電話機に適用することができる。
【発明の効果】
【００１５】
本発明によれば、端子カバーは硬質樹脂と軟質樹脂とからなり、本体に装着された状態で硬質樹脂部分と軟質樹脂部分とが露出していることにより、硬質樹脂の汚れや傷がつきにくいという特徴と、軟質樹脂の密閉性やデザイン性に優れるという特徴とを兼ね備えた端子カバーを実現でき、携帯電話機等の携帯端末装置に利用することができる。
【００１６】
また本発明によれば、端子カバーの取手部を硬質樹脂とすることにより、ユーザが触れることによって傷や汚れがつくことを抑制できる。
【００１７】
また本発明によれば、端子カバーの蓋部を軟質樹脂とすることにより、端子部を密閉して埃や水の侵入を防ぐとともに、デザイン性にも優れたものとなる。
【００１８】
また本発明によれば、硬質樹脂と軟質樹脂とを二色成形による熱融着にて接着することにより、接着剤を用いなくても強固に接着することができる。
【００１９】
また本発明によれば、上記の端子カバーはイヤホンマイク端子のカバーに適用することにより、頻繁に開閉されても傷や汚れがつきにくくなるとともに、外観も良くなる。
【００２０】
また本発明によれば、硬質樹脂は携帯端末装置本体と同材料や同色であることにより、本体との一体感が増し、デザイン性の優れたものとなる。
【００２１】
また本発明によれば、携帯端末装置としてユーザに利用される機会の多い携帯電話機に適用できるので、端子カバーの有用性が顕著に反映される。
【発明を実施するための最良の形態】
【００２２】
図１は携帯電話機の正面図、図２は携帯電話機の右側面図、図３は携帯電話機の背面図である。
【００２３】
図１に示すように、携帯電話機１０の前面には、液晶ディスプレイ１１や各種操作キー１２が配置されている。また携帯電話機１０の右側面には、図２に示すように、イヤホンを接続するイヤホンマイク端子１３が備えられ、イヤホンマイク端子１３はイヤホンマイク端子カバー１４で覆われている。そして、携帯電話機１０の本体は、表キャビネット１５と裏キャビネット１６とからなる。この表キャビネット１５及び裏キャビネット１６の材料としては、硬質樹脂を用いることが好ましく、例えば、ＰＣ（polycarbonate）、ＡＢＳ（Acrylonitrile Butadiene Styrene）の混合材料を好適に用いることができる。
【００２４】
また図３に示すように、裏キャビネット１６の底面に、パソコン等の外部機器に接続するための外部接続端子１７が備えられ、外部接続端子１７は外部接続端子カバー１８で覆われている。
【００２５】
図４は裏キャビネット１６及びイヤホンマイク端子カバー１４の背面斜視図、図５は裏キャビネット１６及びイヤホンマイク端子カバー１４の内面斜視図である。裏キャビネット１６の右側面にはイヤホンマイク端子１３が臨む開口部１６ａが形成されている。図４及び図５では開口部１６ａは平型のイヤホンマイク端子１３に対応しているが、丸型に対応した形状としても構わない。
【００２６】
イヤホンマイク端子カバー１４は、イヤホンマイク端子カバー１４の開閉時に操作される取手部１４ａと、開口部１６ａを蓋する蓋部１４ｂと、開口部１６ａからイヤホンマイク端子カバー１４を引き出す際の引き出し代や引き出した際にカバーの抜け落ちを防止する支持材からなる支持部１４ｃとが一体に成形されてなる。
【００２７】
取手部１４ａは、イヤホンマイク端子カバー１４の開時にユーザが爪を引っかける凹部１４ｄを有し、表キャビネット１５の側面に段差なく嵌合して表キャビネット１５と一体感のある形状に構成されている。また、取手部１４ａの材料としては、硬質樹脂を用いることが好ましく、上記の表キャビネット１６と同材料を用いることがデザイン上好ましい。硬質樹脂はゴム等の軟質樹脂に比べて傷や汚れがつきにくいので、取手部１４ａに硬質樹脂を用いることにより、ユーザが触れることによって傷や汚れがつくことを抑制できる。更に、取手部１４ａは表キャビネット１６と同色にすることで表キャビネット１６との一体感が増し、デザイン性に優れる。
【００２８】
なお、取手部１４ａや凹部１４ｄの形状には特に限定はなく、外観上キャビネットと一体感のある形状とすることが好ましい。また凹部１４ｄに替えて凸部としてもよい。
【００２９】
蓋部１４ｂは、開口部１６ａの周囲の裏キャビネット１６の壁面１６ｂに嵌合する。そのため、蓋部１４ｂには弾性のある材料を用いることが好ましく、軟質樹脂、エラストマーを用いることが好ましい。例えば、プリマロイ（三菱化学）、ハイトレル（東レ・デュポン）、ペルプレン（東洋紡）等のポリエステル系熱可塑性エラストマーを好適に用いることができる。また、蓋部１４ｂの外部に露出する部分に硬質樹脂を用いることなく、蓋部１４ｂの外部に露出する部分も軟質樹脂を用いることで携帯電話機１０のデザイン性が向上する。
【００３０】
なお、蓋部１４ｂの形状には特に限定はなく、端子の形状に合わせた形状とすることができる。例えば、丸型の端子であれば蓋部１４ｂも丸型にすることができる。
【００３１】
支持部１４ｃは、屈曲性が必要なため、蓋部１４ｂと同様の材料を用いることが好ましい。また蓋部１４ｂと同様の材料を用いることで蓋部１４ｂと支持部１４ｃとを一体成形でき、部品点数を削減できる。
【００３２】
なお、支持部１４ｃの形状には特に限定はなく、例えば、適当な長さの２本の平行な引き出し代と、これらの引き出し代の端部どうしを接続する支持材とをコ字型に設けることができる。
【００３３】
ここで、硬質樹脂と軟質樹脂とは二色成形による熱融着にて接着される。即ち、取手部１４ａと蓋部１４ｂ及び支持部１４ｃとが熱融着にて接着される。これにより、強固に接着することができる。なお、硬質樹脂と軟質樹脂との接着方法には特に限定はなく、例えば接着剤を用いてもよい。
【００３４】
なお、外部接続端子カバー１８もイヤホンマイク端子カバー１４と同様の構成を採用することができる。また、その他の端子カバーを設けた場合でもイヤホンマイク端子カバー１４と同様の構成を採用することができる。
【００３５】
図６は図３のＡ−Ａ線断面図、図７は図３のＢ−Ｂ線断面図、図８は図３のＣ−Ｃ線断面図である。携帯電話機１０には、回路基板１９等が内蔵されている。図６〜８に示すように、イヤホンマイク端子カバー１４は、その蓋部１４ｂが裏キャビネット１６の壁面１６ｂに嵌合し、その取手部１４ａが表キャビネット１５に一体感をもって接触している。なお、図８に示すように、表キャビネット１５の窪みに蓋部１４ｂの爪部１４ｅが係合してイヤホンマイク端子カバー１４の固定を補助している。イヤホンマイク端子カバー１４を開く場合は、ユーザが爪で取手部１４ａを引っ張ることにより、爪部１４ｅが表キャビネットの窪みから外れる。その後、指で取手部１４ａを持って引っ張ることにより、蓋部１４ｂが壁面１６ｂから外れてイヤホンマイク端子カバー１４が引き出される。
【００３６】
以上のように、本発明では端子カバーは硬質樹脂と軟質樹脂とからなり、キャビネットに装着された状態で硬質樹脂部分と軟質樹脂部分とが露出していることにより、硬質樹脂の汚れや傷がつきにくいという特徴と、軟質樹脂の密閉性やデザイン性に優れるという特徴とを兼ね備えた端子カバーを実現でき、携帯電話機等の携帯端末装置に利用することができる。
【産業上の利用可能性】
【００３７】
本発明の携帯端末装置は、携帯電話機をはじめ、ＰＤＡ、携帯ゲーム機等、イヤホンマイク端子や外部接続端子等にカバーが装着されている装置に広く利用することができる。
【図面の簡単な説明】
【００３８】
【図１】本発明の携帯電話機の正面図である。
【図２】本発明の携帯電話機の右側面図である。
【図３】本発明の携帯電話機の背面図である。
【図４】本発明の裏キャビネット及びイヤホンマイク端子カバーの背面斜視図である。
【図５】本発明の裏キャビネット及びイヤホンマイク端子カバーの内面斜視図である。
【図６】図３のＡ−Ａ線断面図である。
【図７】図３のＢ−Ｂ線断面図である。
【図８】図３のＣ−Ｃ線断面図である。
【符号の説明】
【００３９】
１０    携帯電話機
１３    イヤホンマイク端子
１４    イヤホンマイク端子カバー
１４ａ  取手部
１４ｂ  蓋部
１４ｃ  支持部
１４ｄ  凹部
１４ｅ  爪部
１５    表キャビネット
１６    裏キャビネット
１７    外部接続端子
１８    外部接続端子カバー
【図１】
2006135638.tif 000003
【図２】
2006135638.tif 000004
【図３】
2006135638.tif 000005
【図４】
2006135638.tif 000006
【図５】
2006135638.tif 000007
【図６】
2006135638.tif 000008
【図７】
2006135638.tif 000009
【図８】
2006135638.tif 000010